(57)【要約】  複数の無線リンク間でベアラ分割を行うためのシステム及び方法が開示される。ユーザー機器（ＵＥ）は、複数の無線リンク（例えば、ＬＴＥリンク及びＷＬＡＮリンク）によって進化型次世代ユニバーサル地上無線アクセスネットワーク（Ｅ−ＵＴＲＡＮ）ノードＢ（ｅＮＢ）に通信可能に接続することができる。送信部は、リンク間でどのようにトラフィックを分割するか（例えば、各リンクを介して送信する比率）に関する分割方針を動的に決定することが可能である。実施形態によっては、送信部は、下位層測定基準に基づき、明示的に分割方針を決定することができる。その代わりにあるいはそれに加えて、送信機会が得られたときに各無線アクセスインターフェースがデータ要求を行い、当該データ要求から暗黙的に分割方針が決定されてもよい。ＵＥでは、ＬＴＥリンクへのリソース割り当て、及び／又はＷＬＡＮリンクを介した送信の成功確率等の提供を含むネットワーク支援を受けながら、分割方針が決定されてもよい。
2017532846.tif 000002
【特許請求の範囲】
【請求項１】
無線アクセスネットワーク（ＲＡＮ）を主体とする複合無線異種ネットワーク内で動作する進化型ユニバーサル地上無線アクセスネットワーク（Ｅ−ＵＴＲＡＮ）ノードＢ（ｅＮＢ）であって、前記ｅＮＢは、
ロングタームエボリューション（ＬＴＥ）ベアラを介して送信されるデータトラフィックを受信し、
ＬＴＥリンクを介して送信する前記データトラフィックの比率、及び無線ローカルエリアネットワークリンク（ＷＬＡＮリンク）を介して送信される前記データトラフィックの比率を決定し、
前記決定した比率に基づいて前記データトラフィックを前記ＬＴＥリンクと前記ＷＬＡＮリンクとの間で分割するように構成されたリンクアグリゲーション送信部を備えるｅＮＢ。
【請求項２】
前記リンクアグリゲーション送信部は、パケット・データ・コンバージェンス・プロトコル層（ＰＤＣＰ層）より上位、前記ＰＤＣＰ層、前記ＰＤＣＰ層より下位、及び無線リンク制御（ＲＬＣ）層より下位からなる群より選ばれる層で前記データトラフィックを分割する、請求項１に記載のｅＮＢ。
【請求項３】
下位層測定基準に基づいて、前記ＬＴＥリンク及び前記ＷＬＡＮリンクを介して送信する前記データトラフィックの前記比率を算出するように構成されたリンクアグリゲーションスケジューラをさらに備え、前記リンクアグリゲーション送信部は、前記リンクアグリゲーションスケジューラから前記比率の通知を受信することによって前記比率を決定する、請求項１〜２のいずれかに記載のｅＮＢ。
【請求項４】
前記下位層測定基準は、リンク品質、リンク輻輳、及びバッファステータスからなる群より選ばれる測定基準を含む、請求項３に記載のｅＮＢ。
【請求項５】
前記リンクアグリゲーション送信部は、複数の送信機会が利用可能なときにＷＬＡＮ無線アクセスインターフェース及びＬＴＥ無線アクセスインターフェースの各々からデータ要求を受信することによって前記比率を決定する、請求項１〜２のいずれかに記載のｅＮＢ。
【請求項６】
前記リンクアグリゲーション送信部は、下位層測定基準に基づいて前記データ要求に対してどのように応答するかを決定する、請求項５に記載のｅＮＢ。
【請求項７】
前記リンクアグリゲーション送信部は、ＬＴＥ無線アクセスインターフェースからデータ要求を受信することによって前記ＬＴＥリンクを介して送信される前記比率を決定し、下位層測定基準に基づいて前記ＷＬＡＮリンクを介して送信される前記比率を決定する、請求項１〜２のいずれかに記載のｅＮＢ。
【請求項８】
ＷＬＡＮ無線アクセスインターフェースは、前記ｅＮＢとコロケートされていない、請求項１〜２のいずれかに記載のｅＮＢ。
【請求項９】
複数の無線を用いて通信を行う方法であって、
基地局において、第１の無線インターフェースと第２の無線インターフェースの間でダウンリンクトラフィックのデータ分割を算出する工程と、
無線通信デバイスに送信するために、前記算出されたデータ分割に従って、前記第１の無線インターフェース及び前記第２の無線インターフェースにデータを提供する工程と
を含む方法。
【請求項１０】
前記データ分割を算出する工程は、各無線インターフェースについて、下位層測定に基づいて前記データ分割を算出する工程を含む、請求項９に記載の方法。
【請求項１１】
前記データ分割を算出する工程は、各無線インターフェースからのデータ要求に基づいて前記データ分割を暗黙的に決定する工程を含む、請求項９に記載の方法。
【請求項１２】
前記無線通信デバイスから受信されるアップリンクトラフィックのデータ分割を算出する工程をさらに含む、請求項９に記載の方法。
【請求項１３】
前記アップリンクトラフィックの前記データ分割を算出する工程は、及び前記無線通信デバイスから受信した複数のバッファステータスレポートおよび下位層測定基準に基づいて前記データ分割を算出する工程を含む、請求項１２に記載の方法。
【請求項１４】
前記無線通信デバイスに各無線へのリソース割り当てを通知する工程をさらに含む、請求項９に記載の方法。
【請求項１５】
前記無線通信デバイスに前記リソース割り当てを通知する工程は、前記第２の無線インターフェースを経由する送信の確率を提供する工程を含む、請求項１４に記載の方法。
【請求項１６】
前記無線通信デバイスに前記リソース割り当てを通知する工程は、前記第１の無線インターフェース及び前記第２の無線インターフェースにタイムスロットを割り当てる工程を含み、
各無線インターフェースに割り当てられた前記タイムスロットは緩やかに同期する、請求項１４に記載の方法。
【請求項１７】
請求項９〜１６のいずれか一項に記載の方法を実行する手段を備える装置。
【請求項１８】
複数のコンピュータ可読命令が記憶された少なくとも一つのコンピュータ可読記憶媒体であって、
前記複数のコンピュータ可読命令は、機械において実行されると、前記機械に請求項９〜１６のいずれか一項に記載の方法を実行させる、コンピュータ可読記憶媒体。
【請求項１９】
複数の無線リンクを介して基地局と通信を行うユーザー機器（ＵＥ）であって、
第１の無線リンクと第２の無線リンクの間でのデータの分割を決定し、前記決定された分割に従って前記データを前記第１の無線リンク用の第１の部分と前記第２の無線リンク用の第２の部分とに分割するように構成されたスケジューラと、
データの前記第１の部分を前記第１の無線リンクを介して送信するように構成された第１の送受信部と、
データの前記第２の部分を前記第２の無線リンクを介して送信するように構成された第２の送受信部と
を備えるＵＥ。
【請求項２０】
前記スケジューラは、下位層測定に基づいてローカルで前記分割を決定するように構成されている、請求項１９に記載のＵＥ。
【請求項２１】
前記スケジューラは、前記決定された分割に従ってデータの前記第１の部分を前記第１の送受信部に割り当て、データの前記第２の部分を前記第２の送受信部に割り当てる、請求項２０に記載のＵＥ。
【請求項２２】
前記スケジューラは、前記第１の送受信部及び前記第２の送受信部の各々に利用可能な複数の送信機会に基づいて前記分割を決定するように構成されている、請求項１９に記載のＵＥ。
【請求項２３】
前記スケジューラは、前記分割に関する基地局の通知に基づいて前記分割を決定するように構成されている、請求項１９に記載のＵＥ。
【請求項２４】
前記スケジューラは、前記基地局から複数のリソースの割り当ての通知を受信するように構成されている、請求項２３に記載のＵＥ。
【請求項２５】
前記スケジューラは、前記複数のリソースの割り当てに基づいて前記第１の送受信部及び前記第２の送受信部にデータをプッシュ送信するように構成されている、請求項２４に記載のＵＥ。
【請求項２６】
前記スケジューラは、複数の送信機会が利用可能な際に前記第１の送受信部及び前記第２の送受信部からデータ要求を受信するように構成されており、
前記スケジューラは、前記複数のリソースの割り当てに基づいて前記データ要求を満たすように構成されている、請求項２４に記載のＵＥ。
【発明の詳細な説明】
【技術分野】
【０００１】
本願は、２０１４年１０月２３日に出願された、米国特許仮出願第６２／０６７，６３６号からの優先権を主張するものであり、参照によりその全体が本明細書に援用される。
【０００２】
本発明は、複数の無線リンクにまたがるベアラを分割するためのシステム、方法、及び装置に関する。
【図面の簡単な説明】
【０００３】
【図１】複数の無線リンクを介してＵＥと通信を行うシステムの模式図である。
【０００４】
【図２】ベアラ分割を実行する可能性のある異なる層に対する複数の選択肢を示す模式図である。
【０００５】
【図３Ａ】ＬＴＥスタックとＷＬＡＮスタックの間でベアラトラフィックを分割するためのプッシュアーキテクチャを示す模式図である。
【０００６】
【図３Ｂ】ＬＴＥスタックとＷＬＡＮスタックの間でベアラトラフィックを分割するためのプルアーキテクチャを示す模式図である。
【０００７】
【図４Ａ】ｅＮＢとＷＬＡＮ  ＡＰの間でベアラトラフィックを分割するためのＰＤＣＰに基づくプッシュアーキテクチャを示す模式図である。
【０００８】
【図４Ｂ】統合ｅＮＢ／ＬＡＮのＬＴＥ無線アクセスインターフェースとＷＬＡＮ無線アクセスインターフェースの間でベアラトラフィックを分割するためのＲＬＣに基づくプルアーキテクチャを示す模式図である。
【０００９】
【図５】ＰＤＣＰに基づくプッシュアーキテクチャを用いてベアラトラフィックを分割するように構成されたＵＥの模式図である。
【００１０】
【図６】ネットワーク支援を伴うＰＤＣＰに基づくプッシュアーキテクチャを用いてベアラトラフィックを分割するように構成されたＵＥの模式図である。
【００１１】
【図７】ネットワーク支援を伴うＲＬＣに基づくプルアーキテクチャを用いてベアラトラフィックを分割するように構成されたＵＥの模式図である。
【００１２】
【図８Ａ】プッシュアーキテクチャ又はハイブリッドアーキテクチャを用いて複数の無線リンクを介してデータを送信する方法を示すフローチャートである。
【００１３】
【図８Ｂ】プルアーキテクチャ又はハイブリッドアーキテクチャを用いて複数の無線リンクを介してデータを送信する方法を示すフローチャートである。
【００１４】
【図９】プッシュアーキテクチャ及び／又はプルアーキテクチャを用いて複数の無線リンクを介してデータトラフィックを送受信することができるＵＥの模式図である。
【発明を実施するための形態】
【００１５】
無線モバイル通信技術では、基地局と無線通信デバイスとの間でのデータ通信するために多様な規格とプロトコルが採用されている。無線通信システムの規格とプロトコルには、例えば、第３世代パートナーシッププロジェクト（３ＧＰＰ）ロングタームエボリューション（ＬＴＥ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ（登録商標））として産業界で広く知られている米国電気電子学会（ＩＥＥＥ）８０２．１６規格、及び無線ローカルエリアネットワーク（ＷＬＡＮ）又はＷｉ−Ｆｉ（登録商標）として産業界で広く知られているＩＥＥＥ８０２．１１規格がある。ＬＴＥシステムの３ＧＰＰ無線アクセスネットワーク（ＲＡＮ）の基地局は、進化型ユニバーサル地上無線アクセスネットワーク（Ｅ−ＵＴＲＡＮ）ノードＢ（一般に、進化型ノードＢ、拡張ノードＢ、ｅＮｏｄｅＢ、又はｅＮＢとも呼ばれる）及び／又はＥ−ＵＴＲＡＮの無線ネットワーク制御装置（ＲＮＣ）を含み得、これらの装置は、ユーザー機器（ＵＥ）と呼ばれる無線通信デバイスと通信を行う。ＬＴＥシステムのＥ−ＵＴＲＡＮには、複数のｅＮｏｄｅＢが含まれ、複数のＵＥと通信を行うことができる。Ｅ−ＵＴＲＡＮは、進化型パケットコア（ＥＰＣ）によりインターネット等の外部ネットワークに通信可能に接続され得る。ＬＴＥネットワークは、複数の無線アクセス技術（ＲＡＴ）と無線コアネットワークアーキテクチャによって、通信の高速化、遅延の減少、パケット最適化、及びシステムのキャパシティとカバレージの向上を実現する。
【００１６】
ｅＮＢは、異なるＲＡＴを用いた複数の無線リンクを介してデータを送ることができる。無線リンクには、例えば、ＷＬＡＮリンク、ＬＴＥリンク、ミリ波リンク等があり得る。Ｅ−ＵＴＲＡＮはＷＬＡＮリンクのコントロールアンカー及びモビリティアンカーの役目を果たし、ＷＬＡＮリンクはＬＴＥネットワークからデータのオフロードを行う際の追加キャリアとして機能することができる。Ｅ−ＵＴＲＡＮが受信したベアラトラフィックは、ｅＮＢとＵＥとの間の二地点間（ｐｏｉｎｔ−ｔｏ−ｐｏｉｎｔ＝ｐ２ｐ）によるＷＬＡＮリンクを介してトンネリングされ得る。ｐ２ｐＷＬＡＮリンクは、ｅＮＢ及びＷＬＡＮアクセスポイント（ＡＰ）を繋ぐ独自インターフェース又は標準インターフェースを用いてセットアップされ得る。ベアラはＷＬＡＮリンクとＬＴＥリンクに分割することができる。あるいは、実施形態によっては、ベアラ全体がＷＬＡＮリンクにオフロードされることもある。
【００１７】
ベアラはプロトコルスタックの様々な層で分割及び／又は集約され得る。例えば、データ無線ベアラは、パケット・データ・コンバージェンス・プロトコル（ＰＤＣＰ）層より上位、ＰＤＣＰ層の内部、又はＰＤＣＰ層より下位などで、ＷＬＡＮリンクとＬＴＥリンクに分割され得る。ＷＬＡＮに適応した送信／受信（ＴＸ／ＲＸ）層は、ＷＬＡＮリンクを介して送られる複数のプロトコルデータユニット（ＰＤＵ）に必要な全ての追加のプロトコルを処理し得る。追加プロトコルには、暗号化、ヘッダ圧縮、カプセル化、トンネリング等のプロトコルが含まれ得る。例えば、リンクアグリゲーション送信層は、シーケンス番号層より上位、ヘッダ圧縮層より上位、完全性保護層及び／又は暗号化層より上位、ＰＤＣＰヘッダ付加層より上位、ＰＤＣＰヘッダ付加層より下位等にあり得る。同様に、リンクアグリゲーション受信層は、ＰＤＣＰヘッダ削除層より下位、ＰＤＣＰヘッダ削除層より上位、完全性検証層及び／又は復号化層より上位、ヘッダ復元層より上位、送信順確保・重複検出層より上位等にあり得る。
【００１８】
どの層でベアラ分割を行う場合でも、各リンクを介して送信するトラフィックの比率を決める必要がある（例えば、ベアラ分割制御）。各リンクにおけるデータ転送のサイズや周波数を決めることもある（例えば、データ転送／フロー制御）。データ送信に失敗した場合に別のリンクを介して再送を行うルールやタイミングを決めてもよい（例えば、クロスＲＡＴ再送制御（異なる無線アクセス技術を組み合わせた再送制御）及び／又はＡＲＱ制御（自動再送要求制御））。これらのベアラ分割制御、データ転送／フロー制御、クロスＲＡＴ再送制御及び／又はＡＲＱ制御に関する決定処理は、動的又は静的にあるいはその両方で行われ得る。例えば、リアルタイム測定に基づいて動的にベアラ分割の決定処理を行えば、各リンクの機能を最大限に利用することが可能である。ベアラ分割の決定処理は、複数のユーザーに亘るリンク品質及びサービス品質（ＱｏＳ）に関する要求考慮してよい。
【００１９】
いくつかの実施形態は、リアルタイムな決定処理やトラフィックのルーティング／分割処理を行うことがある。実施形態によっては、送信装置が動的にベアラ分割の決定処理を行う際に、受信装置の協働を限定的とすることで、信号伝達に費やされるオーバーヘッド（付帯コスト）を抑制することができる。送信装置は、どのプロトコル層でベアラ分割を行ってもよく、アップリンク送信装置でもダウンリンク送信装置でもよい。また、送信装置は各リンクに対する複数のコロケートされた無線インターフェースあるいは複数のコロケートされていない無線インターフェースを含んでいてもよい。ＵＥ及びｅＮＢは、アップリンクベアラ及びダウンリンクベアラそれぞれのクロスＲＡＴ送信の方針を管理してもよい。ただし、実施形態によっては、ＵＥベアラ分割の決定処理はこのＵＥに対するネットワーク支援を含み、個々のＵＥによって決定が行われてしまうのを防ぐことがある。
【００２０】
リンクアグリゲーション送信部（ＬＡＴ）は、リンクアグリゲーションスケジューラ（ＬＡＳ）と協働し、各リンクにどのようにベアラトラフィックを動的に割り当てるかを決定することができる。ＬＡＴ及びＬＡＳは、プッシュアーキテクチャ、プルアーキテクチャ、プッシュ・プルのハイブリッドアーキテクチャ等において動作するように構成されていてもよい。プッシュアーキテクチャでは、ＬＡＳは、複数のリンク及び／又は複数のユーザーに対するトラフィックの分割方法を明示的に決定及び制御することができる。一方、プルアーキテクチャでは、ＬＡＳは、下位層のリンクスケジューラに分割処理を委ねることにより暗黙的に分割の決定処理を行うことが可能である。
【００２１】
プッシュアーキテクチャにおいて、ＬＡＳは、下位層のモジュールから送られたリンク統計情報及び／又はインターフェース統計情報を取得してもよい。ＬＡＳは、この統計情報に基づき、明示的かつ動的に複数のリンク間の分割方針を算出するか、無線リソース制御部（ＲＲＣ）層によって規定された方針に従って割り当てを行うか、あるいはその両方を行うことができる。実施形態によっては、各ユーザー及び／又は各ベアラについての決定処理の前に、ＬＡＳは全ユーザーに亘る統計情報を考慮し得る。様々な最適化基準を用いて決定を行ってもよい。他の実施形態では、単純な決定処理が各ベアラの統計情報のみに基づいて行われ得る。
【００２２】
ＬＡＳが分割方針を決定すると、ＬＡＴは、受信したトラフィックを分割方針に基づいて分割することができる。分割後、ＬＡＴはこのトラフィックを各無線インターフェースのプロトコルスタックの下位層にあるローカルバッファに送ることができる。各リンクの無線インターフェースは、互いに独立して処理やスケジューリングを行うことが可能である。実施形態によっては、下位層のスケジューラ同士が追加情報を交換することにより、両者が緩やかに協働しながらシステム最適化測定基準（例えば、等比測定基準、遅延に敏感な測定基準、キュー長等）に基づいた無線リソースの割り当てを行うことがある。また、実施形態によっては、トラフィックが分割されると、個々の無線アクセス技術の送信方針及びスケジューリング方針を用いて、データをプロトコルスタックを経てエアインターフェースに送ることもある。
【００２３】
プッシュアーキテクチャにおいて、ＬＡＴはＬＡＳと協働し、各ベアラ及び／又は各ＵＥについて最適なベアラ分割の選択肢を決定してもよい。いくつかの例では、ＲＲＣ方針により特定のベアラの分割が禁止されてよい。トラフィック分割の決定処理には、様々なアルゴリズムを使用することができる。また、トラフィック分割の決定処理は、リンク・チャネルの状態、ＱｏＳ要件、及び／又は複数のユーザー間の負荷バランス等を考慮し得る。ＬＡＳは、例えば、ＬＴＥスケジューラ及びＭＡＣスケジューラとの協働により、トラフィックの分割比率を調整することが可能である。例えば、ＬＡＳは各リンクの平均スループットに応じたトラフィック分割比率にすることにより、遅延をリンク間で均等にすることができる。
【００２４】
実施形態によっては、ＬＡＳはこれに変わるスケジューリング・分割方針（簡易分析を必要とする）のいずれかを使用してもよい。例えば、ＬＡＳは、ダウンリンク（ＤＬ）送信にＷＬＡＮリンク優先方針を用い、アップリンク（ＵＬ）送信にＬＴＥリンク優先方針を用いてもよい。その代わりにあるいはそれに加えて、ＬＡＳは、複数のＵＥ毎に異なる測定基準（例えば、等比スループット、パケット遅延、ＱｏＳ等）に基づいて、ベアラ分割の決定処理の総合的な最適化を図ってもよい。トラフィックの分割後、各リンクのスケジューラは、互いに独立して、及び／又は定期的にスケジューリング測定基準（例えば、ＵＥ毎のスループット測定基準等）を交換することにより協働して、スケジューリング処理を行うことができる。ＬＡＳがこのようなスケジューリングを行うために、各リンクの平均リンクスループット及び／又は平均アクセス遅延等の下位層測定基準が提供され得る。
【００２５】
プルアーキテクチャにおいて、分割方針は、送信側リンクアグリゲーションバッファからデータを引き抜く下位層に基づいて暗黙的に決定され得る。トラフィックは、各リンクにおいて送信機会が得られたときのみ各プロトコルスタックの下位層に送られ得る。ＬＡＴは、ベアラ分割の決定を下位層の信号伝達決定に委ねることができる。例えば、下位層で決定されたスケジューリングに従って、ＬＡＴから各無線アクセスインターフェースにちょうど充分な量のデータを送信することができる。実施形態によっては、対応するリンクで送信機会が得られたときに、各無線インターフェースのスケジューラは（例えば、ローカルスケジューリング測定基準や割り当て可能なリソース量の情報を交換することにより）、互いに協働して処理を行うこともある。
【００２６】
各リンクにおいて送信機会が得られると、ＬＡＴはＰＤＵのセグメンテーションを行うことができる。その際、下位層は、ＬＡＴに対して送信機会が得られたことを通知することが可能である。実施形態によっては、下位層はさらにパケット誤り率や輻輳通知等の、追加のリンク品質統計情報をＬＡＴに提供することがある。このようなリンク品質統計値の提供はＬＴＥリンクに対してＲＬＣ層で元々入手できるが、（例えば、ＷＬＡＮ制御層の追加により）ＷＬＡＮリンクを修正し、ＷＬＡＮリンクのための同様の情報の提供を支持してもよい。
【００２７】
ハイブリッドアーキテクチャでは、プッシュアーキテクチャとプルアーキテクチャの要素を組み合わせて用いることができる。例えば、一実施形態では、各プロトコルスタックの下位層は送信機会が得られたときにトラフィックの送信要求を行う一方、下位層からのデータ要求に対してどのように応答するかの最終決定はＬＡＴ及び／又はＬＡＳが行うことができる。その代わりにあるいはそれに加えて、リンク毎に異なる機構が用いられてもよい。例えば、ＬＴＥリンクについては下位層がトラフィックの送信要求を行い、ＷＬＡＮリンクについてはＬＡＴがトラフィックをプッシュ送信するタイミングを決定してもよいし、その逆でもよい。
【００２８】
実施形態によっては、プッシュアーキテクチャは、プルアーキテクチャよりも一般的で、かつ多様なプロトコル集約の選択肢や多様な配置パターンに容易に使用することができる。また、バッファの共有及び／又は各リンクのプロトコルスタックを密に結合するのが難しい場合には、プッシュアーキテクチャが有効であり得る。一方、コロケート配置の場合には、バッファの共有が容易で下位層測定に対するアクセス遅延が少ないので、プルアーキテクチャの方がよく使用され得る。プッシュアーキテクチャ及びプルアーキテクチャでは、例えば、リンクアグリゲーション層がクロスＲＡＴ再送制御及び／又は総合ＡＲＱ制御を実行することができる。実施形態によっては、ハイブリッドアーキテクチャが採用され得る。例えば、プッシュアーキテクチャのＬＡＴ／ＬＡＳは下位層からのバッファ要求を認識可能であり、あるいはプルアーキテクチャの下位層からの要求に対して上位層で働くＬＡＴ／ＬＡＳの承認が必要であり得る。
【００２９】
実施形態によっては、無線リンク制御（ＲＬＣ）層より下位においてプロトコルの集約を行うにはプルアーキテクチャがより適当であり得る。その理由は、媒体アクセス制御（ＭＡＣ）スケジューラからの使用可能な送信用リソースの通知に合わせて、ＲＬＣ送信機能がＰＤＵのセグメンテーション及びコンカチネーションを担い得るためである。ＲＬＣ層は、ＲＬＣ  ＰＤＵのサイズを送信機会に合うよう調整し、応答が確認されないデータの再送ができるようにすることができる。受信側のＲＬＣ層はもともと再送要求機能を持っているが、シーケンス番号を表すビット数が小さい（例えば、１０ビット）ため、比較的限定的な範囲の遅延については許容してもよい。プルアーキテクチャは、より上位の層でプロトコル集約が行われる場合及び／又はコロケート配置でない場合にも用いることができる。
【００３０】
実施形態によっては、ＲＬＣ層より上位かつＰＤＣＰ層より下位でプロトコル集約を行う場合には、プッシュアーキテクチャがより適当であり得る。その理由は、ＰＤＣＰ層は上位層から取得したインターネットプロトコル（ＩＰ）パケットのセグメンテーション機能を担っていないためである。これらの実施形態では、ＰＤＣＰ層とスケジューリング層との間の相互作用のための標準機構が使用できないかもしれない。また、コロケート配置でない場合は、各無線インターフェースの機能間でのリアルタイムな相互作用がないため、プッシュアーキテクチャがより適当であり得る。下位層バッファステータスがＬＡＴ／ＬＡＳに通知可能な場合には（コロケート配置でない場合であっても）、プッシュアーキテクチャにプルアーキテクチャの要素を付け加えてもよい。プッシュアーキテクチャは、より下位の層においてプロトコル集約が行われる場合及び／又はコロケート配置の場合にも用いることができる。
【００３１】
ＬＡＴは、最初のリンクでは受信されなかったＰＤＵをクロスＲＡＴ再送するための総合ＡＲＱプロトコルを実行できる。実施形態によっては、ＬＡＴは個々のリンクに対するＡＲＱの初期値になり、リンクアグリゲーション層での再送を許可しないことがある。また、クロスＲＡＴ再送制御を可能にするために、ＬＡＴは再送信（Ｒｅ−ＴＸ）バッファとして機能してもよい。この場合、もともとはＲＬＣ層アーキテクチャにより支援されていたＲｅ−ＴＸバッファ機能が、ＰＤＣＰ層アーキテクチャに追加される必要がある。ＬＡＳとＲＲＣは、個々のリンクためのＡＲＱを支援する機構により、協働してクロスＲＡＴ再送制御の方針を設計することができる。一実施形態では、ＬＴＥリンクに有利な送信条件が存在する場合（例えば、ＷＬＡＮリンクに関する再試行の数がＷＬＡＮリンク品質の関数として大きく低下する場合）には、ＷＬＡＮ・ＡＲＱ機構はバイアスされＬＴＥリンクに関する再送をおこなうことができる。ＬＡＴは、一方のリンクでの送信が失敗したときに、ＬＡＳとＲＲＣが協働して設計した方針に従って、ＬＴＥリンクを介した再送制御を行ってもよい。
【００３２】
プッシュ、プル、ハイブリッド等のアーキテクチャは、コロケートされたあるいはコロケートされていないＷＬＡＮ及びｅＮＢ配備に対して、実装することができる。ＷＬＡＮ  ＡＰとｅＮＢとの間のバックホールリンクの品質の限界は、プルアーキテクチャの性能に影響することがある。実施形態によっては、プッシュアーキテクチャは両者がコロケート配置されていない場合に適合しやすいであろう。プッシュアーキテクチャは、ｅＮＢとＷＬＡＮ  ＡＰとの間のデータ転送のためのフロー制御機構を備えてもよい。コロケートされていないｅＮＢとＡＰとの間の信号伝達は、独自のものであってもよく、Ｘ２インターフェース又はＸ２−Ｗインターフェースの一部として標準化されているものであってもよい。
【００３３】
プッシュアーキテクチャを用いた実施形態では、ベアラ分割比率を決めるため、Ｘ２−Ｗインターフェースを使用してｅＮＢのＬＡＳにＷＬＡＮリンクの品質測定基準が送信されてもよい。リンク品質測定基準には、各ＵＥのリンクスループット遅延、遅延、経験品質（ＱｏＥ）、競合度（例えば、バックオフステータス）、バッファステータス、輻輳情報又はキュー長、負荷レベル、及び平均アクセス遅延等が含まれ得る。クロスＲＡＴ再送制御を行う実施形態では、パケット送信確認ステータスを通知するために追加の信号伝達が行われてもよい。Ｘ２−Ｗインターフェースは、ｅＮＢのＬＡＳからＷＬＡＮ  ＡＰに、ベアラ分割の開始通知及び／又は各ベアラにおいて予想されるデータ送信速度等を送信するのにも使用され得る。ＬＡＳはＷＬＡＮに対し、パケット送信確認、リンク品質レポート、及び／又はバッファステータスレポートの要求を送信し得る。ＬＡＳは、ＬＴＥリンクを介した再送の比率を増やすよう、ＷＬＡＮリンクのＡＲＱパラメータを決定することができる。
【００３４】
プルアーキテクチャを用いた実施形態では、Ｘ２−Ｗインターフェースを使用して、ＷＬＡＮ  ＡＰからｅＮＢのＬＡＴに、ＷＬＡＮリンクに関する送信機会の通知、複数のパケット及び／又はバイトに対するパケットデータ要求等が送信されてもよい。また、Ｘ２−Ｗインターフェースは、ｅＮＢのＬＡＴからＷＬＡＮ  ＡＰへの、要求されたパケットデータの送信、及び／又は送信データの要求データに対する比率の送信にも使うことができる。クロスＲＡＴ再送制御のための信号伝達については、上述したプッシュアーキテクチャの実施形態と同様であり得る。
【００３５】
プッシュアーキテクチャ及びプルアーキテクチャのいずれにおいても、ＷＬＡＮ  ＡＰとｅＮＢとの間で、スケジューリング測定基準に関するスケジューラステータス情報（例えば、各ＵＥの等比スループット等）を交換することができる。実施形態によっては、Ｘ２インターフェースを介して測定と制御情報を交換するために、Ｘ２−ＡＰプロトコルに新しいメッセージを規定してもよい。その代わりにあるいはそれに加えて、リソースステータスレポート用のメッセージ等の既存のメッセージを拡張することが可能である。
【００３６】
ＵＥが上記のプッシュアーキテクチャ、プルアーキテクチャ、及び／又はハイブリッドアーキテクチャを採用し、アップリンクベアラ分割や総合ＡＲＱ制御等を実行してもよい。実施形態によっては、アップリンクベアラ分割を実行するために、ＵＥに改良アーキテクチャ及び／又はネットワーク支援アーキテクチャを採用してもよい。また、実施形態によっては、ＬＴＥリンクを介して何らかのトラフィックが送信される前に、ＵＥはまずｅＮＢにバッファステータスレポート（ＢＳＲ）を送信することができる。ＢＳＲはＵＥのアップリンク要求を示し得る。例えば、ＬＴＥリンクのみを利用するＵＥでは、ＰＤＣＰバッファ及びＲＬＣバッファで送信待機している全パケットに基づいてＢＳＲが作成され得る。一方、アップリンクベアラ分割を行うＵＥでは、パケットの一部は他のリンクを介して送信され得るため、ＵＥがＬＴＥリンクを介して送信されるバイト数を事前に把握するのは難しい。そのため、ＵＥは、ｅＮＢの支援を受けながらＵＥ主導のベアラ分割を実行することができる。例えば、ＵＥはリンクアグリゲーション機能に関するＢＳＲを送信してもよい。このとき、ＢＳＲは全てのバッファステータスを示すことができ、各リンク（例えば、ＷＬＡＮリンク及びＬＴＥリンク）に対する個別のリソース割り当てを要求する。
【００３７】
ＵＥのＬＡＳはｅＮＢのＬＡＳと協働し、複数の無線リンクを組み合わせることにより、ＢＳＲを送信して適切なリソース割り当てを受けることができる。ｅＮＢは、自身に関連する全てのユーザーについての多様なリンク品質、負荷及び／又は輻輳パラメータに基づき、アップリンクベアラ分割の決定処理を行うことができる。さらに、ｅＮＢは、複数の無線リンクに対するリソース割り当てを総合的に決定することができる。リソース割り当て通知のフォーマットは無線リンクの種類により異なり得る。一実施形態では、ｅＮＢがＷＬＡＮリンクを介した送信確率を決定するが、それはＵＥがＷＬＡＮリンクの競合状態からバックオフを行うのに使用することができる。例えば、ｅＮＢは、ＵＥに対してＷＬＡＮリンクの送信確率を１と規定することにより、ＵＥのＷＬＡＮリンクを介した送信をスケジューリングする。ＷＬＡＮリンクの送信確率１とは、共通制御されたＵＥのみがＷＬＡＮアクセスを使用している場合、ＵＥは他と競合することなく確実に送信をスケジューリングできるということを表すことができる。その代わりにあるいはそれに加えて、ＬＴＥリンク送信と緩やかに同期されたＷＬＡＮリンク送信のためのタイムスロットがＵＥに割り当てられてもよい。送信機会を割り当てるためのその他の方法は、当業者にとって自明であろう。
【００３８】
ｅＮＢが総合的にＵＥへのリソース割り当てを行ったことは、様々な方法によりＵＥに通知することができる。一実施形態では、ｅＮＢはＵＥに対して、ＬＴＥリンクを介したアップリンク送信が可能であることのみを通知してよい。ＵＥは、ＬＴＥリンクを介して割り当てられた帯域幅の信号を送信し、他のリンクを介して割り当て要求のリマインダーを送信することができる。その代わりにあるいはそれに加えて、ｅＮＢは、ＷＬＡＮリンクの送信確率に加えて、例えばＬＴＥリンクのアップリンク送信の割り当て量を明示的にＵＥに通知してもよい。
【００３９】
図１は、複数の無線リンクを介してＵＥ１１０と通信を行うシステム１００の模式図である。ＥＰＣには、パケットゲートウェイ（Ｐ−ＧＷ）１４０及び（例えば示されるように、Ｓ５／Ｓ８ベアラを介してパケットを通信するよう構成される）サービングゲートウェイ（Ｓ−ＧＷ）１３０が含まれ、Ｓ‐ＧＷ１３０は、ベアラトラフィックをｅＮＢ１２０及びＷＬＡＮ  ＡＰ１２５からなる統合ＡＰに送信することができる。ｅＮＢ１２０とＷＬＡＮ  ＡＰ１２５は互いに通信可能に接続され、下位層測定基準、スケジューリング測定基準、ベアラ分割構成、データトラフィック、及び／又はデータ要求等を送受信することが可能である。システム１００はｅＮＢ１２０を主体とし、このｅＮＢ１２０はデータトラフィックを（例えば、Ｓ１ベアラを介して）受信し、複数の無線リンク（例えば、ＬＴＥリンク及びＷＬＡＮリンク）を介してＵＥ１１０に送信するために当該データトラフィックを分割することができる。ｅＮＢ１２０とＷＬＡＮ  ＡＰ１２５はコロケートされていてもされていなくてもよい。ＷＬＡＮ  ＡＰ１２５は、ＥＰＣへの接続の代わりにあるいはＥＰＣへの接続に加えて、非シームレスＷＬＡＮオフロード（ＮＳＷＯ）によりインターネット１５０に通信可能に接続することができる。ｅＮＢ１２０はＬＴＥリンクを介してＵＥ１１０に通信可能に接続され、ＷＬＡＮ  ＡＰ１２５はＷＬＡＮリンクを介してとＵＥ１１０に通信可能に接続され得る。ＬＴＥリンクとＷＬＡＮリンクとは互いに異なるものであり、ＵＥ１１０に対して、互いに独立しつつ実質的に同時にデータトラフィックを送信可能であり得る。また、ＷＬＡＮリンクは、ｅＮＢ１２０が受信したデータをＵＥ１１０にトンネリングすることができる。
【００４０】
図２は、ベアラ分割を実行する可能性のある異なる層に対する複数の選択肢２１０、２２０、２３０を示す模式図である。例えば、第１の選択肢２１０では、ベアラトラフィックの分割はＰＤＣＰ層よりも上位で行われ得る。分割されたベアラトラフィックの第１の部分は、ＰＤＣＰ層、ＲＬＣ層、ＭＡＣ層、及び物理層を有するＬＴＥスタックを経て送信され得る。当該ベアラトラフィックの第２の部分は、適応層（例えば、ＰＤＣＰ層及び／又はＲＬＣ層の機能の一部又は全てを果たす層）、ＭＡＣ層、及び物理層を有するＷＬＡＮスタックを経て送信され得る。
【００４１】
第２の選択肢２２０では、ベアラトラフィックの分割は、ＰＤＣＰ層よりも下位かつＲＬＣ層よりも上位で行われ得る。分割されたベアラトラフィックの第１の部分は、この選択肢においてはＲＬＣ層、ＭＡＣ層、及び物理層を有するＬＴＥスタックを経て送信され得る。当該ベアラトラフィックの第２の部分は、適応層（例えば、ＲＬＣ層の機能の一部又は全てを果たす層）、ＭＡＣ層、及び物理層を有するＷＬＡＮスタックを経て送信され得る。第２の選択肢２２０における適応層がＰＤＣＰ層の機能を果たす必要はない。
【００４２】
第３の選択肢２３０では、ベアラトラフィックの分割は、ＰＤＣＰ層及びＲＬＣ層よりも下位で行われ得る。分割されたベアラトラフィックの第１の部分は、直接ＬＴＥスタックのＭＡＣ層及び物理層に送られ得る。当該ベアラトラフィックの第２の部分は、直接ＷＬＡＮスタックのＭＡＣ層及び物理層に送られ得る。実施形態によっては、このＷＬＡＮスタックは、ＷＬＡＮスタックを介するベアラトラフィック送信の第２の部分に適応する適応層をさらに含むことがある。
【００４３】
図３Ａは、ＬＴＥスタック３４２ａとＷＬＡＮスタック３４４ａの間でベアラトラフィックを分割するためのプッシュアーキテクチャ３００ａを示す模式図である。データトラフィックはパケットバッファ３０５ａに格納可能である。ＬＡＳ３１０ａは、ＬＴＥスタック３４２ａとＷＬＡＮスタック３４４ａから下位層測定基準を受信し、ベアラ分割方針を明示的に決定することができる。ベアラ分割方針は、各スタックを経て送信されるデータトラフィックの比率を規定してよい。ＬＡＳ３１０ａは、ＬＡＴ３２０ａにベアラ分割方針を提供する。ＬＡＴ３２０ａは、当該ＬＡＳ３１０ａから受信したベアラ分割方針に従って、データトラフィックを分割することができる。ＬＡＴ３２０ａは、ＬＴＥスタック３４２ａ及びＷＬＡＮスタック３４４ａそれぞれのパケットバッファ３３２ａ及び３３４ａに、分割したデータをプッシュ送信することが可能である。ＬＴＥスタック３４２ａとＷＬＡＮスタック３４４ａは、それぞれパケットバッファ３３２ａ及び３３４ａから得たデータを処理して送信することができる。ＬＴＥスケジューラ３５２ａとＷＬＡＮスケジューラ３５４ａは、データの送信をスケジューリングし、それぞれＬＴＥスタック３４２ａのパケットバッファ３３２ａ及びＷＬＡＮスタック３４４ａのパケットバッファ３３４ａに対してデータ要求を送信することができる。実施形態によっては、ＬＴＥスケジューラ３５２ａとＷＬＡＮスケジューラ３５４ａがスケジューリング測定基準を交換し、ＬＴＥスタック３４２ａ及びＷＬＡＮスタック３４４ａによる送信処理を緩やかに同期させてもよい。
【００４４】
図３Ｂは、ＬＴＥスタック３４２ｂとＷＬＡＮスタック３４４ｂの間でベアラトラフィックを分割するためのプルアーキテクチャ３００ｂを示す模式図である。データトラフィックはパケットバッファ３０５ｂに格納可能である。ＬＡＴ／ＬＡＳ３２０ｂは、ＬＴＥスタック３４２ｂとＷＬＡＮスタック３４４ｂの間でどのようにデータトラフィックの分割を行うかを決定することができる。ＬＡＴ／ＬＡＳ３２０ｂは、送信機会が得られたときにＬＴＥスタック３４２ｂ及びＷＬＡＮスタック３４４ｂから受信するデータ要求に基づき、暗黙的にベアラ分割方針を決定することができる。例えば、ＬＴＥスケジューラ３５２ｂ及びＷＬＡＮスケジューラ３５４ｂはいつ送信機会が有効であるかを決定し、送信機会を検出するとＬＡＴ／ＬＡＳ３２０ｂにデータを要求することができる。データトラフィックは送信機会が得られたときにのみ提供されるので、プッシュアーキテクチャ３００ａのようにパケットバッファ３３２ａ及び３３４ａを設ける必要がない。同様に、ベアラ分割方針は暗黙的に決定されるため、プッシュアーキテクチャ３００ａのように独立したＬＡＳ３１０ａを設ける必要がない。前述のように、ＬＴＥスケジューラ３５２ｂ及びＷＬＡＮスケジューラ３５４ｂがスケジューリング測定基準を交換し、ＬＴＥスタック３４２ｂ及びＷＬＡＮスタック３４４ｂによる送信処理を緩やかに同期させてもよい。
【００４５】
図４Ａは、ｅＮＢ４０２ａとＷＬＡＮ  ＡＰ４０４ａの間でベアラトラフィックを分割するためのＰＤＣＰに基づくプッシュアーキテクチャ４００ａを示す模式図である。ｅＮＢ４０２ａとＷＬＡＮ  ＡＰ４０４ａはコロケートされていてもされていなくてもよい。ｅＮＢ４０２ａはＬＡＳ４１０ａを有し得る。ＬＡＳ４１０ａは、ＷＬＡＮスケジューラ４５４ａ及びＬＴＥスケジューラ４５２ａから下位層測定基準を受信することができる。さらに、ＬＡＳ４１０ａはＲＲＣ４６０ａからベアラ方針構成を受信してもよい。例えば、ベアラ方針構成は、特定のベアラの分割ができないことを規定してよい。ｅＮＢ４０２ａはＰＤＣＰに基づくＬＡＴ４２０ａを有する。ＬＡＴ４２０ａは、どのデータトラフィックをＷＬＡＮ  ＡＰ４０４ａに送り、どのデータトラフィックをＬＴＥスタックに残すかを決定することができる。コロケート配置でない実施形態において、ＬＡＴ４２０ａは、ＷＬＡＮ  ＡＰ４０４ａのフロー制御の決定処理を行うことができる。
【００４６】
図４Ｂは、統合ｅＮＢ／ＬＡＮのＬＴＥ無線アクセスインターフェース４４２ｂとＷＬＡＮ無線アクセスインターフェース４４４ｂの間でベアラトラフィックを分割するための、ＲＬＣに基づくプルアーキテクチャ４００ｂを示す模式図である。図示された実施形態では、ＬＴＥ無線アクセスインターフェース４４２ｂとＷＬＡＮ無線アクセスインターフェース４４４ｂはコロケートされているが、他の実施形態では、ＬＴＥ無線アクセスインターフェース４４２ｂ及びＷＬＡＮ線アクセスインターフェース４４４ｂはコロケートされていない場合もある。ＬＡＴ４２０ｂは、送信機会が得られたときに、ＬＴＥ無線アクセスインターフェース４４２ｂとＷＬＡＮ無線アクセスインターフェース４４４ｂの間でデータトラフィックの分割を行うことができる。例えば、送信機会が得られると、各無線アクセスインターフェース４４２ｂ及び４４４ｂはデータ要求を送信するか、データをプル通信により取得するか、あるいはその両方が可能である。ＬＴＥスケジューラ４５２ｂとＷＬＡＮスケジューラ４５４ｂがスケジューリング測定基準や割り当て可能なリソース量の情報等を交換することにより、下位層のスケジューリング機能同士を協働させてもよい。実施形態によっては、ＬＡＴ４２０ｂがパケット誤り率や輻輳通知等のリンク品質統計情報を取得してもよい。例えば、ＬＴＥ無線アクセスインターフェース４４２ｂ用のリンク品質統計情報は、ＬＴＥ無線アクセスインターフェース４４２ｂのＲＬＣ層が提供し、ＷＬＡＮ無線アクセスインターフェース４４４ｂ用のリンク品質統計情報は、ＷＬＡＮ制御層４２４ｂが提供することができる。
【００４７】
図５は、ＰＤＣＰに基づくプッシュアーキテクチャを用いてベアラトラフィックを分割するように構成されたＵＥ５００の模式図である。ＵＥ５００は、ベアラトラフィックの分割を制御可能である。ＵＥ５００は、ＬＴＥ  ＢＳＲ要求を送信し、ＬＴＥ無線アクセスインターフェース５４２へのリソース割り当てを得ることができる。実施形態によっては、ＵＥ５００は、ｅＮＢからＵＬ送信の最大確率を受信し、それに応じてＷＬＡＮ無線アクセスインターフェース５４４に対するＷＬＡＮ  ＵＬ送信確率を調整することができる。ＬＡＳ５１０は、分割比率を調整するために、ローカルリンク情報、割り当てられたリソース量、及び／又はＷＬＡＮアップリンク送信確率を用いることができる。ＬＡＴ５２０は、決定した分割比率に基づき、ＬＴＥ無線アクセスインターフェース５４２及びＷＬＡＮ無線アクセスインターフェース５４４の間でトラフィックを分割することができる。
【００４８】
図６は、ネットワーク支援を伴うＰＤＣＰに基づくプッシュアーキテクチャを用いてベアラトラフィックを分割するように構成されたＵＥ６００の模式図である。ＵＥ側ＬＡＳ６１０は、ｅＮＢ側ＬＡＳ６７０に対して全ＢＳＲ要求を送信することができる。ｅＮＢ側ＬＡＳ６７０は、全てのユーザーについて、ＷＬＡＮリンク及びＬＴＥリンクの状態に基づいて分割比率を決定することが可能である。実施形態によっては、ｅＮＢ側ＬＡＳ６７０が独立してＷＬＡＮアップリンク送信確率及びＬＴＥ割り当てを決定することもできる。その代わりにあるいはそれに加えて、ＵＥ側ＬＡＳ６１０がＷＬＡＮ送信確率を制御してもよい。ＵＥ側ＬＡＳ６１０は、ｅＮＢ側ＬＡＳ６７０から受信した分割比率に基づき、トラフィックの分割を実行することができる。例えば、ＵＥ側ＬＡＳ６１０は、ＵＥ側ＬＡＴ６２０に、当該分割比率に基づいて各無線アクセスインターフェース６４２及び６４４に対するパケットのプッシュ送信を行うよう指示してもよい。
【００４９】
図７は、ネットワーク支援を伴うＲＬＣに基づくプルアーキテクチャを用いてベアラトラフィックを分割するように構成されたＵＥ７００の模式図である。ＵＥ側ＬＡＴ７２０は、ｅＮＢ側ＬＡＳ７７０に対して総合ＢＳＲ要求を送信することができる。ｅＮＢ側ＬＡＳ７７０は、ＬＴＥリンク及び／又はＷＬＡＮリンクに対する割り当て方針を決定することが可能である。ＵＥ側ＬＴＥ無線アクセスインターフェース７４２は、ｅＮＢ側ＬＡＳ７７０から受信したＬＴＥ割り当てに従い、プル通信により取得したデータトラフィックをＬＴＥリンクを介して送信することができる。ＷＬＡＮ無線アクセスインターフェース７４４は、ｅＮＢ側ＬＡＳ７７０から受信した送信確率に従い、プル通信により取得したデータをＷＬＡＮリンクを介して送信することができる。その代わりにあるいはそれに加えて、ｅＮＢ側ＬＡＳ７７０から提供される方針ではなくルールに従って、アップリンク送信確率を予め定義してもよい。
【００５０】
図８Ａは、プッシュアーキテクチャ又はハイブリッドアーキテクチャを用いて複数の無線リンクを介してデータを送信する方法８００ａを示すフローチャートである。まず、各無線リンクのリンク・チャネル状態を示す下位層測定基準を受信することができる（ステップ８０２ａ）。この測定基準には、リンク・チャネル状態の代わりにあるいはリンク・チャネル状態に加えて、ユーザーのＱｏＳ要件及び／又は複数のユーザー間の負荷バランス等が含まれてもよい。次に、この下位層測定基準に基づいて分割方針を決定することができる（ステップ８０４ａ）。分割方針には、各無線リンクを介して送信されるデータトラフィックの比率が含まれてもよい。分割方針は、ベアラ毎、複数のベアラ毎、及び／又はユーザー毎等により決めることができる。下位層測定基準に基づく分割方針の決定には、様々なアルゴリズムを使用することができる。
【００５１】
次に、当該分割方針に従ってデータトラフィックを分割することができる（ステップ８０６ａ）。実施形態によっては、下位層の送信機会に応じて、データトラフィックのセグメンテーション及び／又はコンカチネーションが行われることがある。あるいは、受信したデータのセグメンテーションやコンカチネーションが不可能なために、当該分割方針に大まかに合致するよう、受信した各ＰＤＵの送信に使う無線リンクを決めることもある。そして、データトラフィック分割の決定に基づき、データトラフィックを各無線アクセスインターフェースのパケットバッファにプッシュ送信することができる（ステップ８０８ａ）。その後、無線アクセスインターフェースは、自身のスケジューリングルールに従い、バッファに格納されたデータを送信することができる。
【００５２】
図８Ｂは、プルアーキテクチャ又はハイブリッドアーキテクチャを用いて複数の無線リンクを介してデータを送信する方法８００ｂを示すフローチャートである。まず、ＷＬＡＮスケジューラからデータ要求を受信することができる（ステップ８０２ｂ）。さらに、ＬＴＥスケジューラからデータ要求を受信することもできる（ステップ８０４ｂ）。ＷＬＡＮスケジューラとＬＴＥスケジューラは、送信機会が得られたときのみデータ要求を送信できる。実施形態によっては、ＬＡＳ及び／又はＬＡＴによって決められたリソース割り当てに基づき、送信機会が決定されてもよい。各スケジューラが行うデータ要求の数はリンク・チャネル状態によって決まるので、データ要求の数は潜在的なリンク・チャネル状態を示しているといえる。
【００５３】
次に、データ要求に基づいて分割方針を決定する（ステップ８０６ｂ）。例えば、分割方針の決定（ステップ８０６ｂ）には、受信したデータ要求を却下するかどうかの決定が含まれ得る。分割方針及び受信したデータ要求を却下するかどうかの決定は、下位層測定基準に基づいてよい。実施形態によっては、分割方針を決定する（ステップ８０６ｂ）要素をなくし、明示的な分割方針を用いずに全てのデータ要求を満たしてもよい。そして、分割方針及び／又はデータ要求に従って、データトラフィックをＷＬＡＮスタック及びＬＴＥスタックに送ることができる（ステップ８０８ｂ）。実施形態によっては、ＷＬＡＮスタック及び／又はＬＴＥスタックにデータを送る前に、得られた送信機会に応じたデータのセグメンテーション及び／又はコンカチネーションが行われることがある。ＷＬＡＮスタックとＬＴＥスタックがデータトラフィックを受け取ると、無線アクセスインターフェースは、得られた送信機会を利用してデータトラフィックを送信することができる。
【００５４】
図９は、ＵＥ、移動局（ＭＳ）、無線携帯機器、移動通信機器、タブレット、送受話器、又はその他のタイプの無線通信デバイス等の携帯機器の例を示す図である。この携帯機器は、基地局（ＢＳ）、ｅＮＢ、ベースバンドユニット（ＢＢＵ）、遠隔無線装置（ＲＲＨ）、遠隔無線設備（ＲＲＥ）、中継局（ＲＳ）、無線設備（ＲＥ）、又はその他のタイプの無線ワイドエリアネットワーク（ＷＷＡＮ）アクセスポイント等の通信局と通信するように構成された一つ以上のアンテナを備えることができる。携帯機器は、３ＧＰＰ  ＬＴＥ、ＷｉＭＡＸ（登録商標）、ＨＳＰＡ（Ｈｉｇｈ  Ｓｐｅｅｄ  Ｐａｃｋｅｔ  Ａｃｃｅｓｓ）、Ｂｌｕｅｔｏｏｔｈ（登録商標）、及びＷｉ−Ｆｉ（登録商標）のうち少なくとも一つの無線通信方式を使って通信するように構成することが可能である。携帯機器は、無線通信方式毎に別々のアンテナを使ってもよいし、複数の無線通信方式に共通のアンテナを使って通信してもよい。携帯機器は、ＷＬＡＮ、無線パーソナルエリアネットワーク（ＷＰＡＮ）及び／又はＷＷＡＮの中で通信を行うことができる。
【００５５】
図９には、携帯機器の音声の入出力に使われ得る、一つのマイクロホンと一つ以上のスピーカーも図示されている。表示画面は、液晶ディスプレイ（ＬＣＤ）画面であっても、その他のタイプのディスプレイ画面（有機発光ダイオード（ＯＬＥＤ）ディスプレイ等）であってもよい。表示画面は、タッチパネルとして構成されていてもよい。タッチパネルは、静電容量式、抵抗膜方式、又はその他のタイプのタッチパネル技術を用いたものが使用できる。アプリケーションプロセッサとグラフィックプロセッサは、処理容量及び表示容量を提供するために、内部メモリに接続することができる。また、不揮発性メモリポートの使用により、ユーザーはデータの入出力の選択肢を得ることができる。不揮発性メモリポートは、携帯機器のメモリ容量を拡張するのにも使用できる。さらなるユーザー入力を可能にするため、キーボードが携帯機器と一体に設けられるか、又は携帯機器に無線接続されてもよい。タッチパネルを用いた仮想キーボードが設けられてもよい。実施例
【００５６】
下記の実施例は、さらなる実施形態に関するものである。
【００５７】
実施例１は、ＲＡＮを主体とする複合無線異種ネットワーク内で動作するｅＮＢである。前記ｅＮＢは、ロングタームエボリューション（ＬＴＥ）ベアラによって送信されたデータトラフィックを受信するように構成されたリンクアグリゲーション送信部を含む。前記リンクアグリゲーション送信部は、ＬＴＥリンクを介して送信する前記データトラフィックの比率、及び無線ローカルエリアネットワーク（ＷＬＡＮ）リンクを介して送信する前記データトラフィックの比率を決定するようにも構成されている。前記リンクアグリゲーション送信部は、前記決定した各比率に基づいて前記データトラフィックを前記ＬＴＥリンクと前記ＷＬＡＮリンクの間で分割するようにも構成されている。
【００５８】
実施例２において、実施例１のリンクアグリゲーション送信部は、ＰＤＣＰ層より上位、前記ＰＤＣＰ層の内部、前記ＰＤＣＰ層より下位、及びＲＬＣ層より下位からなる群より選ばれる層で前記データトラフィックを分割する。
【００５９】
実施例３において、実施例１〜２のいずれかのｅＮＢは、下位層測定基準に基づいて、前記ＬＴＥリンク及び前記ＷＬＡＮリンクを介して送信するデータトラフィックの比率を算出するように構成されたリンクアグリゲーションスケジューラをさらに含む。前記リンクアグリゲーション送信部は、前記リンクアグリゲーションスケジューラから前記比率の通知を受信することによって前記比率を決定する。
【００６０】
実施例４において、実施例３の下位層測定基準は、リンク品質、リンク輻輳、及びバッファステータスからなる群より選ばれる測定基準を含む。
【００６１】
実施例５において、実施例１〜４のいずれかのリンクアグリゲーション送信部は、送信機会が利用可能なときにＷＬＡＮ無線アクセスインターフェース及びＬＴＥ無線アクセスインターフェースの各々からデータ要求を受信することによって前記比率を決定する。
【００６２】
実施例６において、実施例５のリンクアグリゲーション送信部は、下位層測定基準に基づいて前記データ要求に対してどのように応答するかを決定する。
【００６３】
実施例７において、実施例１〜４のいずれかのリンクアグリゲーション送信部は、ＬＴＥ無線アクセスインターフェースからデータ要求を受信することによって前記ＬＴＥリンクを介して送信する比率を決定し、下位層測定基準に基づいて前記ＷＬＡＮリンクを介して送信する比率を決定する。
【００６４】
実施例８において、実施例１〜７のいずれかのｅＮＢは、ＷＬＡＮ無線アクセスインターフェースとコロケートされていない。
【００６５】
実施例９は、複数の無線を用いて通信を行う方法である。前記方法は、基地局において、第１の無線インターフェースと第２の無線インターフェースの間でダウンリンクトラフィックのデータ分割を算出する工程と、無線通信デバイスに送信するために、前記算出されたデータ分割に従って、前記第１の無線インターフェース及び前記第２の無線インターフェースにデータを提供する工程を含む。
【００６６】
実施例１０において、実施例９の前記データ分割を算出する工程は、各無線インターフェースについて、下位層測定に基づいて前記データ分割を算出する工程を含む。
【００６７】
実施例１１において、実施例９〜１０のいずれかの前記データ分割を算出する工程は、各無線インターフェースからのデータ要求に基づいて暗黙的に前記データ分割を決定する工程を含む。
【００６８】
実施例１２において、実施例９〜１１のいずれかの方法は、前記無線通信デバイスから受信するアップリンクトラフィックのデータ分割を算出する工程をさらに含む。
【００６９】
実施例１３において、実施例１２の前記アップリンクトラフィックの前記データ分割を算出する工程は、下位層測定及び前記無線通信デバイスから受信したバッファステータスレポートに基づいて前記データ分割を算出する工程を含む。
【００７０】
実施例１４において、実施例９〜１３のいずれかの方法は、前記無線通信デバイスに、各無線へのリソース割り当てを通知する工程を含む。
【００７１】
実施例１５において、実施例１４の前記無線通信デバイスに前記リソース割り当てを通知する工程は、前記第２の無線インターフェースを経由する送信の確率を提供する工程を含む。
【００７２】
実施例１６において、実施例１４〜１５のいずれかの前記無線通信デバイスに前記リソース割り当てを通知する工程は、前記第１の無線インターフェース及び前記第２の無線インターフェースの各々にタイムスロットを割り当てる工程を含む。各無線インターフェースに割り当てられた前記タイムスロットは緩やかに同期する。
【００７３】
実施例１７は、実施例９〜１６のいずれかに記載の方法を実行する手段を含む装置である。
【００７４】
実施例１８は、コンピュータ可読命令が記憶された少なくとも一つのコンピュータ可読記憶媒体である。前記命令が実行されると、前述の実施例のいずれかに記載の方法が実行されるか、前述の実施例のいずれかに記載の装置が実現される。
【００７５】
実施例１９は、複数の無線リンクを介して基地局と通信を行う装置（例えば、ＵＥ）である。前記装置は、第１の無線リンクと第２の無線リンクの間でのデータの分割を決定するように構成されたスケジューラを含む。前記スケジューラは、前記決定された分割に従って前記データを前記第１の無線リンク用の第１の部分と前記第２の無線リンク用の第２の部分に分割するようにも構成されている。前記装置は、前記第１のデータ部分を前記第１の無線リンクを介して送信するように構成された第１の送受信部を含む。前記装置は、前記第２のデータ部分を前記第２の無線リンクを介して送信するように構成された第２の送受信部を含む。
【００７６】
実施例２０において、実施例１９のスケジューラは、下位層測定に基づいてローカルで前記分割を決定するように構成されている。
【００７７】
実施例２１において、実施例２０のスケジューラは、前記決定された分割に従って前記第１のデータ部分を前記第１の送受信部に割り当て、前記第２のデータ部分を前記第２の送受信部に割り当てる。
【００７８】
実施例２２において、実施例１９のスケジューラは、前記第１の送受信部及び前記第２の送受信部の各々に利用可能な送信機会に基づいて前記分割を決定するように構成されている。
【００７９】
実施例２３において、実施例１９のスケジューラは、前記分割に関する基地局からの通知に基づいて前記分割を決定するように構成されている。
【００８０】
実施例２４において、実施例２３のスケジューラは、前記基地局からリソース割り当ての通知を受信するように構成されている。
【００８１】
実施例２５において、実施例２４のスケジューラは、前記リソース割り当てに基づいて前記第１の送受信部及び前記第２の送受信部にデータをプッシュ送信するように構成されている。
【００８２】
実施例２６において、実施例２４のスケジューラは、送信機会が利用可能な際に前記第１の送受信部及び前記第２の送受信部からデータ要求を受信するように構成されている。前記スケジューラは、前記リソース割り当てに基づいて前記データ要求を満たすように構成されている。
【００８３】
様々な技術、あるいはその技術の特定の側面又は部分は、フロッピー（登録商標）ディスケット、ＣＤ‐ＲＯＭ、ハードドライブ、コンピュータ可読非一時的記憶媒体、又はその他の機械読み取り可能な記憶媒体等の有形の媒体において具現化される、プログラムコード（即ち、命令）の形態をとることができる。このプログラムコードがコンピュータ等の機械によって展開及び実行されると、その機械は前述の様々な技術を実施するデバイスとして機能する。このプログラムコードがプログラマブルコンピュータで実行される場合、そのコンピュータはプロセッサ、プロセッサにより読み取り可能な記憶媒体（揮発性メモリ、不揮発性メモリ、及び／又は記憶素子を含む）、少なくとも一つの入力デバイス、及び少なくとも一つの出力デバイスを具備することができる。揮発性メモリ、不揮発性メモリ、及び／又は記憶素子は、ＲＡＭ、ＥＰＲＯＭ、フラッシュドライブ、光学ドライブ、磁気ハードドライブ、又はその他の電子データを記憶する媒体であってもよい。ｅＮＢ（又は他の基地局）及びＵＥ（又は他の移動局）は、送受信部、計数部、処理部、及び／又はクロックすなわち計時部をさらに有してもよい。本明細書に記載した様々な技術を実装又は利用する一つ以上のプログラムは、アプリケーションプログラミングインタフェース（ＡＰＩ）及び再使用可能制御等を使用することができる。このようなプログラムは、コンピュータシステムと通信するために、高度手続き型もしくはオブジェクト指向型のプログラミング言語で記述され得る。しかしながら、プログラムは、必要であればアセンブリ言語又は機械語で記載することもできる。いかなる場合においても、使用される言語は、コンパイラ型又はインタプリタ型のものであり、ハードウェア実装と組み合わせることができる。
【００８４】
当然のことだが、本明細書に記載された多くの機能ユニットは、一つ以上のコンポーネントとして実装されてもよく、機能ユニットは、実装の独立性をより強調するために使用される用語である。例えば、あるコンポーネントを、カスタムの超大規模集積（ＶＬＳＩ）回路又はゲートアレイ、既成の半導体（例えば、論理チップ）、トランジスター、又はその他の独立したコンポーネントを含むハードウェア回路として実装してもよい。また、あるコンポーネントを、フィールドプログラマブルゲートアレイ、プログラマブルアレイロジック、又はプログラマブルロジックデバイス等のプログラマブルハードウェアデバイスに実装してもよい。
【００８５】
また、コンポーネントを、多種のタイプのプロセッサにより実行されるソフトウェアに実装してもよい。実行可能コードの特定のコンポーネントを、例えば、コンピュータ命令の一つ以上の物理ブロック又は論理ブロックを備えてもよく、例えば、オブジェクト、プロシージャ、又は関数として体系化してもよい。それでも、特定されたコンポーネントの実行ファイルは、物理的に並置する必要はない。しかし、これらの実行ファイルが論理的に統合された場合には、当該コンポーネントを備えつつ当該コンポーネントの明示された目的を達成する異なる場所に記憶された、互いに異なる命令を有してもよい。
【００８６】
実際、実行可能コードのコンポーネントは、単一の命令あるいは多数の命令であってもよく、いくつかの異なるコードセグメントにわたって、異なるプログラムの中で、及びいくつかのメモリデバイスにわたって分散していてもよい。同様に、本明細書において動作データは、コンポーネント内に特定されて示されてもよく、任意の適当な形態で具現化されてもよく、任意の適当なタイプのデータ構造内で体系化されてもよい。動作データは、単一のデータセットとして収集されてもよく、異なる記憶デバイスを含む異なる位置にまたがって分散されていてもよい。また、動作データの少なくとも一部が、システム又はネットワーク上の単なる電子信号として存在してもよい。コンポーネントは、受動的でも能動的でもよく、所望の機能を果たすために動作可能なエージェントを有してもよい。
【００８７】
本明細書全体を通して「例」と言及するのは、その例に関連して記載された特定の特徴、構造、又は特性が、本発明の少なくとも一つの実施形態に含まれていることを意味する。つまり、本明細書の様々な箇所に登場する「一例において」という語句は、必ずしも全てが同じ実施形態を指しているわけではない。
【００８８】
本明細書で使用されているように、複数の品目、構造的要素、構成要素、及び／又は材料は、便宜上共通のリストに示すことができる。しかしながら、これらのリストは、リストの各項目が互いに異なる別々の項目として同定されるよう、解釈されるべきである。よって、それとは反対の記載がない限り、当該リストの各項目は、共通のグループ内に示されているからといって、同一リストの任意の他の項目と事実上の均等物であるとみなされるべきではない。さらに、本発明の多様な実施形態及び実施例は、その様々なコンポーネントの代替物とともに本明細書に記載されている。このような実施形態、実施例、及び代替物は、互いに事実上の均等物とみなされず、本発明の別個の自律的な表現として理解されるべきである。
【００８９】
記載を明確にするため、上記ではある程度詳細に記載したが、本発明の原理を逸脱することなく特定の変更や変形が可能なことは明らかであろう。本明細書に記載された手順及び装置の両方を実施するためには、多くの代替手法が存在することに留意されたい。したがって、本実施形態は、例示であって限定的ではないと解釈されるべきである。本発明は、本明細書の詳細な内容に限定されるものではなく、添付の請求項及びその均等物の範囲内で変形することができる。
【００９０】
上述の実施形態の細部に対し、本発明の根本的な原理から逸脱することなく、多くの変更が可能であることが、当業者によって理解されるであろう。したがって、本発明の範囲は、以下の特許請求の範囲によってのみ定められるべきである。
【図１】
2017532846.tif 000003
【図２】
2017532846.tif 000004
【図３Ａ】
2017532846.tif 000005
【図３Ｂ】
2017532846.tif 000006
【図４Ａ】
2017532846.tif 000007
【図４Ｂ】
2017532846.tif 000008
【図５】
2017532846.tif 000009
【図６】
2017532846.tif 000010
【図７】
2017532846.tif 000011
【図８Ａ】
2017532846.tif 000012
【図８Ｂ】
2017532846.tif 000013
【図９】
2017532846.tif 000014
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）を主体とする複合無線異種ネットワーク内で動作する進化型ユニバーサル地上無線アクセスネットワーク（Ｅ−ＵＴＲＡＮ）ノードＢ（ｅＮＢ）であって、前記ｅＮＢは、
ロングタームエボリューション（ＬＴＥ）ベアラを介して送信されるデータトラフィックを受信し、
ＬＴＥリンクを介して送信する前記データトラフィックの比率、及び無線ローカルエリアネットワークリンク（ＷＬＡＮリンク）を介して送信される前記データトラフィックの比率を決定し、
前記決定した比率に基づいて前記データトラフィックを前記ＬＴＥリンクと前記ＷＬＡＮリンクとの間で分割するリンクアグリゲーション送信部を備えるｅＮＢ。
【請求項２】
前記リンクアグリゲーション送信部は、パケット・データ・コンバージェンス・プロトコル層（ＰＤＣＰ層）より上位、前記ＰＤＣＰ層、前記ＰＤＣＰ層より下位、及び無線リンク制御（ＲＬＣ）層より下位からなる群より選ばれる層で前記データトラフィックを分割する、請求項１に記載のｅＮＢ。
【請求項３】
下位層測定基準に基づいて、前記ＬＴＥリンク及び前記ＷＬＡＮリンクを介して送信する前記データトラフィックの前記比率を算出するリンクアグリゲーションスケジューラをさらに備え、前記リンクアグリゲーション送信部は、前記リンクアグリゲーションスケジューラから前記比率の通知を受信することによって前記比率を決定する、請求項１または２に記載のｅＮＢ。
【請求項４】
前記下位層測定基準は、リンク品質、リンク輻輳、及びバッファステータスからなる群より選ばれる測定基準を含む、請求項３に記載のｅＮＢ。
【請求項５】
前記リンクアグリゲーション送信部は、複数の送信機会が利用可能なときにＷＬＡＮ無線アクセスインターフェース及びＬＴＥ無線アクセスインターフェースの各々からデータ要求を受信することによって前記比率を決定する、請求項１または２に記載のｅＮＢ。
【請求項６】
前記リンクアグリゲーション送信部は、下位層測定基準に基づいて前記データ要求に対してどのように応答するかを決定する、請求項５に記載のｅＮＢ。
【請求項７】
前記リンクアグリゲーション送信部は、ＬＴＥ無線アクセスインターフェースからデータ要求を受信することによって前記ＬＴＥリンクを介して送信される前記比率を決定し、下位層測定基準に基づいて前記ＷＬＡＮリンクを介して送信される前記比率を決定する、請求項１または２に記載のｅＮＢ。
【請求項８】
ＷＬＡＮ無線アクセスインターフェースは、前記ｅＮＢとコロケートされていない、請求項１または２に記載のｅＮＢ。
【請求項９】
複数の無線を用いて通信を行う方法であって、
基地局において、第１の無線インターフェースと第２の無線インターフェースの間でダウンリンクトラフィックのデータ分割を算出する工程と、
無線通信デバイスに送信するために、前記算出されたデータ分割に従って、前記第１の無線インターフェース及び前記第２の無線インターフェースにデータを提供する工程と
を含む方法。
【請求項１０】
前記データ分割を算出する工程は、各無線インターフェースについて、下位層測定に基づいて前記データ分割を算出する工程を含む、請求項９に記載の方法。
【請求項１１】
前記データ分割を算出する工程は、各無線インターフェースからのデータ要求に基づいて前記データ分割を暗黙的に決定する工程を含む、請求項９に記載の方法。
【請求項１２】
前記無線通信デバイスから受信されるアップリンクトラフィックのデータ分割を算出する工程をさらに含む、請求項９に記載の方法。
【請求項１３】
前記アップリンクトラフィックの前記データ分割を算出する工程は、及び前記無線通信デバイスから受信した複数のバッファステータスレポートおよび下位層測定基準に基づいて前記データ分割を算出する工程を含む、請求項１２に記載の方法。
【請求項１４】
前記無線通信デバイスに各無線へのリソース割り当てを通知する工程をさらに含む、請求項９に記載の方法。
【請求項１５】
前記無線通信デバイスに前記リソース割り当てを通知する工程は、前記第２の無線インターフェースを経由する送信の確率を提供する工程を含む、請求項１４に記載の方法。
【請求項１６】
前記無線通信デバイスに前記リソース割り当てを通知する工程は、前記第１の無線インターフェース及び前記第２の無線インターフェースにタイムスロットを割り当てる工程を含み、
各無線インターフェースに割り当てられた前記タイムスロットは緩やかに同期する、請求項１４に記載の方法。
【請求項１７】
請求項９〜１６のいずれか一項に記載の方法を実行する手段を備える装置。
【請求項１８】
プロセッサに、請求項９〜１６のいずれか一項に記載の方法を実行させるためのプログラム。
【請求項１９】
請求項１８に記載のプログラムを格納するコンピュータ可読記憶媒体。
【請求項２０】
複数の無線リンクを介して基地局と通信を行うユーザー機器（ＵＥ）であって、
第１の無線リンクと第２の無線リンクの間でのデータの分割を決定し、前記決定された分割に従って前記データを前記第１の無線リンク用の第１の部分と前記第２の無線リンク用の第２の部分とに分割するスケジューラと、
データの前記第１の部分を前記第１の無線リンクを介して送信する第１の送受信部と、
データの前記第２の部分を前記第２の無線リンクを介して送信する第２の送受信部と
を備えるＵＥ。
【請求項２１】
前記スケジューラは、下位層測定に基づいてローカルで前記分割を決定する、請求項２０に記載のＵＥ。
【請求項２２】
前記スケジューラは、前記決定された分割に従ってデータの前記第１の部分を前記第１の送受信部に割り当て、データの前記第２の部分を前記第２の送受信部に割り当てる、請求項２１に記載のＵＥ。
【請求項２３】
前記スケジューラは、前記第１の送受信部及び前記第２の送受信部の各々に利用可能な複数の送信機会に基づいて前記分割を決定する、請求項２０に記載のＵＥ。
【請求項２４】
前記スケジューラは、前記分割に関する基地局の通知に基づいて前記分割を決定する、請求項２０に記載のＵＥ。
【請求項２５】
前記スケジューラは、前記基地局から複数のリソースの割り当ての通知を受信する、請求項２４に記載のＵＥ。
【請求項２６】
前記スケジューラは、前記複数のリソースの割り当てに基づいて前記第１の送受信部及び前記第２の送受信部にデータをプッシュ送信する、請求項２５に記載のＵＥ。
【請求項２７】
前記スケジューラは、複数の送信機会が利用可能な際に前記第１の送受信部及び前記第２の送受信部からデータ要求を受信し、
前記スケジューラは、前記複数のリソースの割り当てに基づいて前記データ要求を満たす、請求項２５に記載のＵＥ。
【手続補正２】
【補正対象書類名】明細書
【補正対象項目名】００９０
【補正方法】変更
【補正の内容】
【００９０】
上述の実施形態の細部に対し、本発明の根本的な原理から逸脱することなく、多くの変更が可能であることが、当業者によって理解されるであろう。したがって、本発明の範囲は、以下の特許請求の範囲によってのみ定められるべきである。
［項目１］
無線アクセスネットワーク（ＲＡＮ）を主体とする複合無線異種ネットワーク内で動作する進化型ユニバーサル地上無線アクセスネットワーク（Ｅ−ＵＴＲＡＮ）ノードＢ（ｅＮＢ）であって、上記ｅＮＢは、
ロングタームエボリューション（ＬＴＥ）ベアラを介して送信されるデータトラフィックを受信し、
ＬＴＥリンクを介して送信する上記データトラフィックの比率、及び無線ローカルエリアネットワークリンク（ＷＬＡＮリンク）を介して送信される上記データトラフィックの比率を決定し、
上記決定した比率に基づいて上記データトラフィックを上記ＬＴＥリンクと上記ＷＬＡＮリンクとの間で分割するように構成されたリンクアグリゲーション送信部を備えるｅＮＢ。
［項目２］
上記リンクアグリゲーション送信部は、パケット・データ・コンバージェンス・プロトコル層（ＰＤＣＰ層）より上位、上記ＰＤＣＰ層、上記ＰＤＣＰ層より下位、及び無線リンク制御（ＲＬＣ）層より下位からなる群より選ばれる層で上記データトラフィックを分割する、項目１に記載のｅＮＢ。
［項目３］
下位層測定基準に基づいて、上記ＬＴＥリンク及び上記ＷＬＡＮリンクを介して送信する上記データトラフィックの上記比率を算出するように構成されたリンクアグリゲーションスケジューラをさらに備え、上記リンクアグリゲーション送信部は、上記リンクアグリゲーションスケジューラから上記比率の通知を受信することによって上記比率を決定する、項目１〜２のいずれかに記載のｅＮＢ。
［項目４］
上記下位層測定基準は、リンク品質、リンク輻輳、及びバッファステータスからなる群より選ばれる測定基準を含む、項目３に記載のｅＮＢ。
［項目５］
上記リンクアグリゲーション送信部は、複数の送信機会が利用可能なときにＷＬＡＮ無線アクセスインターフェース及びＬＴＥ無線アクセスインターフェースの各々からデータ要求を受信することによって上記比率を決定する、項目１〜２のいずれかに記載のｅＮＢ。
［項目６］
上記リンクアグリゲーション送信部は、下位層測定基準に基づいて上記データ要求に対してどのように応答するかを決定する、項目５に記載のｅＮＢ。
［項目７］
上記リンクアグリゲーション送信部は、ＬＴＥ無線アクセスインターフェースからデータ要求を受信することによって上記ＬＴＥリンクを介して送信される上記比率を決定し、下位層測定基準に基づいて上記ＷＬＡＮリンクを介して送信される上記比率を決定する、項目１〜２のいずれかに記載のｅＮＢ。
［項目８］
ＷＬＡＮ無線アクセスインターフェースは、上記ｅＮＢとコロケートされていない、項目１〜２のいずれかに記載のｅＮＢ。
［項目９］
複数の無線を用いて通信を行う方法であって、
基地局において、第１の無線インターフェースと第２の無線インターフェースの間でダウンリンクトラフィックのデータ分割を算出する工程と、
無線通信デバイスに送信するために、上記算出されたデータ分割に従って、上記第１の無線インターフェース及び上記第２の無線インターフェースにデータを提供する工程と
を含む方法。
［項目１０］
上記データ分割を算出する工程は、各無線インターフェースについて、下位層測定に基づいて上記データ分割を算出する工程を含む、項目９に記載の方法。
［項目１１］
上記データ分割を算出する工程は、各無線インターフェースからのデータ要求に基づいて上記データ分割を暗黙的に決定する工程を含む、項目９に記載の方法。
［項目１２］
上記無線通信デバイスから受信されるアップリンクトラフィックのデータ分割を算出する工程をさらに含む、項目９に記載の方法。
［項目１３］
上記アップリンクトラフィックの上記データ分割を算出する工程は、及び上記無線通信デバイスから受信した複数のバッファステータスレポートおよび下位層測定基準に基づいて上記データ分割を算出する工程を含む、項目１２に記載の方法。
［項目１４］
上記無線通信デバイスに各無線へのリソース割り当てを通知する工程をさらに含む、項目９に記載の方法。
［項目１５］
上記無線通信デバイスに上記リソース割り当てを通知する工程は、上記第２の無線インターフェースを経由する送信の確率を提供する工程を含む、項目１４に記載の方法。
［項目１６］
上記無線通信デバイスに上記リソース割り当てを通知する工程は、上記第１の無線インターフェース及び上記第２の無線インターフェースにタイムスロットを割り当てる工程を含み、
各無線インターフェースに割り当てられた上記タイムスロットは緩やかに同期する、項目１４に記載の方法。
［項目１７］
項目９〜１６のいずれか一項に記載の方法を実行する手段を備える装置。
［項目１８］
複数のコンピュータ可読命令が記憶された少なくとも一つのコンピュータ可読記憶媒体であって、
上記複数のコンピュータ可読命令は、機械において実行されると、上記機械に項目９〜１６のいずれか一項に記載の方法を実行させる、コンピュータ可読記憶媒体。
［項目１９］
複数の無線リンクを介して基地局と通信を行うユーザー機器（ＵＥ）であって、
第１の無線リンクと第２の無線リンクの間でのデータの分割を決定し、上記決定された分割に従って上記データを上記第１の無線リンク用の第１の部分と上記第２の無線リンク用の第２の部分とに分割するように構成されたスケジューラと、
データの上記第１の部分を上記第１の無線リンクを介して送信するように構成された第１の送受信部と、
データの上記第２の部分を上記第２の無線リンクを介して送信するように構成された第２の送受信部と
を備えるＵＥ。
［項目２０］
上記スケジューラは、下位層測定に基づいてローカルで上記分割を決定するように構成されている、項目１９に記載のＵＥ。
［項目２１］
上記スケジューラは、上記決定された分割に従ってデータの上記第１の部分を上記第１の送受信部に割り当て、データの上記第２の部分を上記第２の送受信部に割り当てる、項目２０に記載のＵＥ。
［項目２２］
上記スケジューラは、上記第１の送受信部及び上記第２の送受信部の各々に利用可能な複数の送信機会に基づいて上記分割を決定するように構成されている、項目１９に記載のＵＥ。
［項目２３］
上記スケジューラは、上記分割に関する基地局の通知に基づいて上記分割を決定するように構成されている、項目１９に記載のＵＥ。
［項目２４］
上記スケジューラは、上記基地局から複数のリソースの割り当ての通知を受信するように構成されている、項目２３に記載のＵＥ。
［項目２５］
上記スケジューラは、上記複数のリソースの割り当てに基づいて上記第１の送受信部及び上記第２の送受信部にデータをプッシュ送信するように構成されている、項目２４に記載のＵＥ。
［項目２６］
上記スケジューラは、複数の送信機会が利用可能な際に上記第１の送受信部及び上記第２の送受信部からデータ要求を受信するように構成されており、
上記スケジューラは、上記複数のリソースの割り当てに基づいて上記データ要求を満たすように構成されている、項目２４に記載のＵＥ。
【国際調査報告】
2017532846.tif 000015
2017532846.tif 000016
2017532846.tif 000017
2017532846.tif 000018